(57)【要約】【課題】水平−上下間の進路変更を含めて縦姿勢のまま紙葉類を搬送できる紙葉類回収搬送システムを提供する。【解決手段】紙葉類回収搬送システム１は、複数の取込装置４５を経由して事務所の金庫４へ延設された主搬送管４０内に発生させた空気流の作用で紙幣を縦姿勢で搬送する主搬送装置８と、遊技島内で回収した紙幣を一時的に蓄えて繰り出す中継ボックス６と、中継ボックス６から受けた紙幣を副搬送管９１内に発生させた空気流の作用で搬送し、取込装置４５へ縦姿勢で受け渡す副搬送装置９を備え、主搬送管４０および副搬送管９１は、縦姿勢で紙幣を搬送する直線部と、紙幣を縦姿勢に維持して平面内でその搬送方向を上下方向と水平方向の間で変化させる湾曲部を有し、中継ボックス６から金庫４まで縦姿勢を維持したまま紙幣を搬送する。【選択図】図２
2020117372.tif 000002
【特許請求の範囲】
【請求項１】
施設内の複数の取り込み場所から紙葉類を回収し、その回収した紙葉類を空気流の作用で所定の目的地へ搬送する紙葉類回収搬送システムであって、
前記複数の取り込み場所を経由して前記目的地へ至るように延設され、紙葉類を縦姿勢で搬送する搬送管と、前記搬送管内に前記目的地へ向かう空気流を発生させる空気流発生装置と、前記複数の取り込み場所にそれぞれ設けられ、紙葉類を前記搬送管内へ縦姿勢で送り出す紙葉類取込装置と、を備えた主搬送装置と、
前記紙葉類取込装置に対応して設けられ、所定のローカルエリアで回収した紙葉類を一時的に蓄える機能と、蓄えた紙葉類を繰り出す機能を備えた中継装置と、
前記中継装置から繰り出された紙葉類を、該中継装置とこれに対応する前記紙葉類取込装置とを繋ぐ副搬送管内に発生させた空気流の作用で搬送して、前記紙葉類取込装置に縦姿勢で受け渡す副搬送装置と、
を備え、
前記搬送管および前記副搬送管は、縦姿勢で紙葉類を搬送する直線部と、紙葉類を縦姿勢に維持して平面内でその搬送方向を上下方向と水平方向の間で変化させる湾曲部を有する
ことを特徴とする紙葉類回収搬送システム。
【請求項２】
前記紙葉類は、管内の空気流を受けて移動する搬送補助体に後方から押されて移動し、
前記湾曲部は、湾曲の外径側内壁と内径側内壁との距離が、該湾曲部の入口から出口に至る経路の中央部に向けて該経路の両端から次第に大きくなるように形成されると共に、前記搬送補助体を前記外径側内壁に寄せて移動させるガイドを有する
ことを特徴とする請求項１に記載の紙葉類回収搬送システム。
【請求項３】
前記紙葉類取込装置は、
前記副搬送管の終端に接続され、搬送されてきた紙葉類を受け入れる進入通路部と、
前記主搬送装置の搬送管の途中に介挿され、側壁の開口に前記進入通路部の出口が連通した介挿通路部と、
を有し、
前記進入通路部は、
該進入通路部の入口から下流方向に延設され、受け入れた紙葉類の紙面に向けて内側に突出した複数のリブと、
前記リブの下流側に設けられ、前記受け入れた紙葉類を搬送して前記開口から前記介挿通路部内へ送り出す搬送部と、
前記リブと前記搬送部との間にあって前記リブの根本から頂側へ斜めに傾斜して前記搬送部に至る案内壁と、
を有する
ことを特徴とする請求項１または２に記載の紙葉類回収搬送システム。
【請求項４】
前記リブを前記進入通路部の幅方向の中央部に設け、その両サイドは前記リブの頂の高さに対応する壁面とした
ことを特徴とする請求項３に記載の紙葉類回収搬送システム。
【請求項５】
前記副搬送装置は、
前記副搬送管内に前記中継装置側から前記紙葉類取込装置側へ向かう空気流を発生させる往路空気流発生装置と、
前記副搬送管内に前記紙葉類取込装置側から前記中継装置側へ向かう空気流を発生させる復路空気流発生装置と、
前記副搬送管内を往復移動する搬送補助体と、
を備え、
前記往路空気流発生装置が発生させる空気流によって前記搬送補助体を前記紙葉類取込装置に向けて移動させ、前記復路空気流発生装置が発生させる空気流によって前記搬送補助体を前記中継装置に向けて移動させると共に、
前記中継装置から前記副搬送管内に繰り出された紙葉類を前記往路空気流発生装置が発生させる空気流によって移動する前記搬送補助体で後方から押し動かして前記紙葉類取込装置へ搬送した後、該搬送補助体を搬送完了位置で待機させ、前記紙葉類取込装置が前記紙葉類を前記搬送管内へ送り出したら、前記待機している前記搬送補助体を前記復路空気流発生装置が発生させる空気流によって前記中継装置側の待機位置へ移動させる
ことを特徴とする請求項１乃至４のいずれか１つに記載の紙葉類回収搬送システム。
【発明の詳細な説明】
【技術分野】
【０００１】
本発明は、搬送管内に発生させた空気流によって紙幣などの紙葉類を搬送して回収する紙葉類回収搬送システムに関する。
【背景技術】
【０００２】
紙幣の投入を受けて遊技者に遊技球（パチンコ球など）を貸し出す遊技球貸機とパチンコ機などの遊技機とを一組にしたものを複数組併設収容した遊技機島の内部には、各遊技球貸機に投入された紙幣を遊技機島の端部に設けた金庫まで搬送する搬送装置が遊技機島の長手方向に沿って設けてある。
【０００３】
また、下記特許文献１および特許文献２には、遊技場内に分散する各遊技機島の金庫に蓄えられている紙幣を、閉店後など店員が各遊技機島を回って回収して店舗の事務所にある主金庫に運んで保管する作業を軽減するために、遊技場内の各遊技機島の金庫から紙幣を回収して事務所の主金庫まで自動搬送する搬送システムが開示されている。
【０００４】
このような搬送システムにおいては、搬送路を異なるフロアに跨って設置したり天井裏を通したりするなど各遊技場の事情に応じた多様な設置態様が求められるので、搬送路として、直線部のほか、進路を左右に変えるための湾曲部や、進路を水平方向から上下方向(あるいは上下方向から水平方向)に変えるための湾曲部を備えることが望ましい。
【０００５】
しかし、紙幣は、紙面を内側に向けて曲げること（紙面に直交する方向が径方向となる湾曲）は容易であるが、これと直交する方向の変形（紙面を含む平面内での湾曲）はしない。そのため、前者の方向に紙幣が湾曲しながら通る湾曲部のみを用意し、たとえば、横姿勢で紙幣を搬送する場合、進路を水平から上下に変える箇所では横姿勢のままその湾曲部を通過させ、進路を左右に変える箇所では、湾曲部の前後に紙幣の姿勢を横姿勢と縦姿勢の間で入れ替えるねじり管を配置して対応していた。
【０００６】
すなわち、湾曲部の上流側のねじり管で紙幣を横姿勢から縦姿勢に変えた後、湾曲部で進路を左右に変更し、その湾曲部の下流のねじり管で紙幣の姿勢を縦姿勢から元の横姿勢に戻すといったことが行われていた。
【０００７】
また、特許文献１、２によれば、各遊技機島の金庫から紙幣を回収して事務所の主金庫まで搬送する主搬送路は天井裏や天井近くに設置されるため、遊技機島の金庫からその上方にある主搬送路まで紙幣を縦に搬送する副搬送路を設け、該副搬送路の終端に該副搬送路によって搬送されてきた紙幣を主搬送路に送り込む取込装置を設置していた。副搬送路は、管状であり、その中を下方から上方に向かう空気流を空気流発生装置によって発生させ、該空気流の作用で移動する搬送補助体で紙幣を下方から押し上げて搬送するようになっている。搬送完了後は空気流を停止させることで搬送補助体を下方の待機位置へ自然落下させていた。
【先行技術文献】
【特許文献】
【０００８】
【特許文献１】特開２０１８−２３７８号公報
【特許文献２】特開２０１４−１９８６１７号公報
【発明の概要】
【発明が解決しようとする課題】
【０００９】
湾曲部として、紙幣が紙面を内側に曲げながら通るタイプの湾曲部のみを用意し、他の方向のカーブに対して該湾曲管の前後にねじり管を設けて対応する方法では、複雑な構造のねじり管を必要とするため部品コストが嵩んでしまう。また、ねじり管の部分では紙幣が詰まりやすい。特許文献１、２では、湾曲部の前後にねじり管を集中配置することで、点検や詰まり解消の作業の容易化を図っているが、紙幣の詰まりが根本的に解消されるものではない。さらに搬送管内壁への紙幣の張り付きを低減するには紙幣を縦姿勢で搬送することが望まれる。
【００１０】
また、副搬送路から取込装置を介して主搬送路に紙幣を送り込む部分で、Ｚ字状に折れ曲がった紙幣（Ｚ札）、先端が切れた紙幣（切れ札）、カールした紙幣（カール札）等が詰まり易かった。また、特許文献１に開示の取込装置は、取り込んだ紙幣を搬送ベルトと挟持ローラで挟持して主搬送路へ送り出す搬送部を備えているが、Ｚ札が折り込まれた状態のまま挟持されると、主搬送路への出口手前にある排出ローラへの巻き込み等が発生し、紙幣の端部が破けたり傷ついたり、紙幣が詰まったりする等の問題が起きてしまう。
【００１１】
また、空気流発生装置が送り出す下方から上方への空気流の作用を受けて移動する搬送補助体で紙幣を下方から押し上げて搬送し、この空気流を停止することで搬送補助体を下方の待機位置へ自然落下させて戻す構成の副搬送装置では、取込装置から待機位置へ戻る経路の最初の部分が水平になっているような場合には対応できない。また、空気流に関する制御内容は、下方から上方に向かう空気流のオンオフや強弱に制限されるので、空気流の制御のみで詰まりを防いだり、詰まりを解除したりするには限界があり、詰まりの解除に人手を要する場合が多かった。
【００１２】
本発明は、上記の問題を解決しようとするものであり、水平−上下間の進路変更を含めて縦姿勢を維持したまま紙葉類を搬送することのできる紙葉類回収搬送システムを提供することを第１の目的としている。
【００１３】
また、Ｚ札、切れ札、カール札等の異常札であっても取込装置における詰まりの発生し難い紙葉類回収搬送システムを提供することを第２の目的としている。
【００１４】
また、自然落下に頼ることなく搬送補助体を待機位置へ戻すことのできる紙葉類回収搬送システムを提供することを第３の目的としている。
【課題を解決するための手段】
【００１５】
かかる目的を達成するための本発明の要旨とするところは、次の各項の発明に存する。
【００１６】
［１］施設内の複数の取り込み場所から紙葉類を回収し、その回収した紙葉類を空気流の作用で所定の目的地へ搬送する紙葉類回収搬送システムであって、
前記複数の取り込み場所を経由して前記目的地へ至るように延設され、紙葉類を縦姿勢で搬送する搬送管と、前記搬送管内に前記目的地へ向かう空気流を発生させる空気流発生装置と、前記複数の取り込み場所にそれぞれ設けられ、紙葉類を前記搬送管内へ縦姿勢で送り出す紙葉類取込装置と、を備えた主搬送装置と、
前記紙葉類取込装置に対応して設けられ、所定のローカルエリアで回収した紙葉類を一時的に蓄える機能と、蓄えた紙葉類を繰り出す機能を備えた中継装置と、
前記中継装置から繰り出された紙葉類を、該中継装置とこれに対応する前記紙葉類取込装置とを繋ぐ副搬送管内に発生させた空気流の作用で搬送して、前記紙葉類取込装置に縦姿勢で受け渡す副搬送装置と、
を備え、
前記搬送管および前記副搬送管は、縦姿勢で紙葉類を搬送する直線部と、紙葉類を縦姿勢に維持して平面内でその搬送方向を上下方向と水平方向の間で変化させる湾曲部を有する
ことを特徴とする紙葉類回収搬送システム。
【００１７】
上記発明では、中継装置を出てから目的地まで、上下方向と水平方向との間で進路を変える湾曲部の部分を含めて、紙葉類を縦姿勢に維持したまま搬送することができる。ねじり管を使用する必要がなく、部品コストが削減できる。また、横姿勢で搬送すると、紙葉類が搬送管の内壁に張り付きやすいが、縦姿勢で搬送するので、管内壁面への張り付きによる詰まりが生じ難い。
【００１８】
［２］前記紙葉類は、管内の空気流を受けて移動する搬送補助体に後方から押されて移動し、
前記湾曲部は、湾曲の外径側内壁と内径側内壁との距離が、該湾曲部の入口から出口に至る経路の中央部に向けて該経路の両端から次第に大きくなるように形成されると共に、前記搬送補助体を前記外径側内壁に寄せて移動させるガイドを有する
ことを特徴とする［１］に記載の紙葉類回収搬送システム。
【００１９】
上記発明では、両端より中央部を幅広にすることで、紙葉類は縦姿勢を維持したまま平面内で搬送方向を変更するように湾曲部を通過することができる。また、搬送補助体を外壁側内壁に片寄せて移動させることで、Ｚ状に折れ曲ったり先端が切れたりしている紙葉類であっても搬送補助体が紙葉類の後端の辺の部分に当接して適切に押し動かすことができる。
【００２０】
［３］前記紙葉類取込装置は、
前記副搬送管の終端に接続され、搬送されてきた紙葉類を受け入れる進入通路部と、
前記主搬送装置の搬送管の途中に介挿され、側壁の開口に前記進入通路部の出口が連通した介挿通路部と、
を有し、
前記進入通路部は、
該進入通路部の入口から下流方向に延設され、受け入れた紙葉類の紙面に向けて内側に突出した複数のリブと、
前記リブの下流側に設けられ、前記受け入れた紙葉類を搬送して前記開口から前記介挿通路部内へ送り出す搬送部と、
前記リブと前記搬送部との間にあって前記リブの根本から頂側へ斜めに傾斜して前記搬送部に至る案内壁と、
を有する
ことを特徴とする［１］または［２］に記載の紙葉類回収搬送システム。
【００２１】
上記発明では、先端が切れて折れ曲がった紙葉類がリブの領域から搬送部へと進行する際に、その切れて折れ曲がった箇所がリブとリブの間に奥まで入り込んでいたとしても、リブの根元から搬送部にかけて斜めに傾斜した案内壁を設けてあるので、その入り込んだ箇所が、搬送部の上流端に突き当たったりすることなく、案内壁に沿って滑らかに移動して搬送部へと進むことができる。
【００２２】
［４］前記リブを前記進入通路部の幅方向の中央部に設け、その両サイドは前記リブの頂の高さに対応する壁面とした
ことを特徴とする［３］に記載の紙葉類回収搬送システム。
【００２３】
上記発明では、カールした紙葉類の両端がリブの両サイドに設けた壁面に当接することでカールが抑制される。
【００２４】
［５］前記副搬送装置は、
前記副搬送管内に前記中継装置側から前記紙葉類取込装置側へ向かう空気流を発生させる往路空気流発生装置と、
前記副搬送管内に前記紙葉類取込装置側から前記中継装置側へ向かう空気流を発生させる復路空気流発生装置と、
前記副搬送管内を往復移動する搬送補助体と、
を備え、
前記往路空気流発生装置が発生させる空気流によって前記搬送補助体を前記紙葉類取込装置に向けて移動させ、前記復路空気流発生装置が発生させる空気流によって前記搬送補助体を前記中継装置に向けて移動させると共に、
前記中継装置から前記副搬送管内に繰り出された紙葉類を前記往路空気流発生装置が発生させる空気流によって移動する前記搬送補助体で後方から押し動かして前記紙葉類取込装置へ搬送した後、該搬送補助体を搬送完了位置で待機させ、前記紙葉類取込装置が前記紙葉類を前記搬送管内へ送り出したら、前記待機している前記搬送補助体を前記復路空気流発生装置が発生させる空気流によって前記中継装置側の待機位置へ移動させる
ことを特徴とする［１］乃至［４］のいずれか１つに記載の紙葉類回収搬送システム。
【００２５】
上記発明では、搬送補助体は、往路・復路共に空気流の作用で副搬送管内を移動する。
【発明の効果】
【００２６】
本発明に係る紙葉類回収搬送システムによれば、左右および水平−上下間の進路変更を含めて縦姿勢のまま紙葉類を搬送することができる。また、Ｚ札、切れ札、カール札であっても取込装置での詰まりが発生し難い。また、自然落下に頼ることなく搬送補助体を下方の待機位置へ戻すことができる。
【図面の簡単な説明】
【００２７】
【図１】本発明に係る紙葉類回収搬送システムが設置される遊技場の店内レイアウトの一例を示す図である。
【図２】本発明に係る紙葉類回収搬送システムの全体を示す図である。
【図３】遊技島に設置された島内紙幣搬送装置の概略構成を示す図である。
【図４】搬送管内の紙幣を、該紙幣の後端側から搬送補助体が押し動かす状態を示す説明図である。
【図５】直線部分の搬送管を示す斜視図である。
【図６】直線部分の搬送管の延設方向に垂直な断面図である。
【図７】搬送補助体の平面および正面を示す図である。
【図８】搬送管内に搬送補助体を挿入した状態における搬送管および搬送補助体を示す断面図である。
【図９】中継ボックスと副搬送装置と取込装置の位置関係の一例を示す図である。
【図１０】ねじり管の構成を示す図である。
【図１１】中継ボックスと副搬送装置と取込装置の位置関係の他の一例を示す図である。
【図１２】中継ボックスと副搬送装置と取込装置の位置関係の他の一例を示す図である。
【図１３】タイプ１の第２湾曲管を示す斜視図である。
【図１４】タイプ１の第２湾曲管の正面および平面を示す図である。
【図１５】図１４のＡ−Ａ断面図である。
【図１６】タイプ２の第２湾曲管を示す斜視図である。
【図１７】タイプ２の第２湾曲管の正面および平面を示す図である。
【図１８】図１７のＢ−Ｂ断面図である。
【図１９】折れ等のない正常札がタイプ１の第２湾曲管を通過する様子を示す図である。
【図２０】折れ等のない正常札がタイプ２の第２湾曲管を通過する様子を示す図である。
【図２１】各種の異常札を例示する図である。
【図２２】異常札(Ｚ札)がタイプ１の第２湾曲管を通過する様子を示す図である。
【図２３】図２２と同じ異常札がタイプ２の第２湾曲管を通過する様子を示す図である。
【図２４】副搬送装置とこれに接続された取込装置（およびその前後の主搬送管）を示す断面図である。
【図２５】副搬送装置の紙幣送り出し装置とその周辺を示す断面図である。
【図２６】取込装置の外観を示す平面図である。
【図２７】図２６のＣ−Ｃ断面図である。
【図２８】図２６の取込装置を図２７のＤ−Ｄ線の位置で切断した断面図である（挟持ローラは退避位置）。
【図２９】挟持ローラが挟持位置にある状態の取り込装置を示す断面図である。
【図３０】規制部、案内壁のない場合の取込装置（従来の取込装置）を示す図である。
【図３１】カールした紙幣の端部がリブ間に入り込む様子、およぶこの入り込みを規制部が阻止する様子を示す説明図である。
【図３２】従来の取込装置において、カールした紙幣が挟持ローラと搬送ベルトの間に挟まれてカールした形状・傾いた姿勢のまま固定されて搬送される様子を示す図である。
【図３３】紙幣が図３２の状態のままさらに搬送されて紙幣排出ローラに到達した様子を示す図である。
【図３４】規制部を有する取込装置においてカールした紙幣の先端が通過部を通過する様子を示す図である。
【図３５】規制部を有する取込装置においてカールしていた紙幣が繰り出しローラの手前に到達した様子を示す図である。
【図３６】規制部を有する取込装置においてカールしていた紙幣が繰り出しローラの間へほぼ真っ直ぐに進入した様子を示す図である。
【図３７】図２６の矢印Ｅ方向から見た取込装置を示す図である。
【図３８】従来の取込装置を図３７と同様の状態で見た様子を示す図である。
【図３９】本発明に係る取込装置と従来の取込装置の通過部出口における紙幣厚み方向の幅Ｅ１、Ｅ２を対比して示す図である。
【図４０】案内壁を有する取込装置の通過部から搬送部への移行部分を示す斜視図である。
【図４１】案内壁を設けていない取込装置の通過部から搬送部への移行部分を示す斜視図である。
【図４２】中継ボックスから取込装置の介挿通路部内へ紙幣を正常に搬送する際の副搬送装置および取込装置の動作を示す流れ図である。
【発明を実施するための形態】
【００２８】
以下、図面に基づき本発明の実施の形態を説明する。
【００２９】
図１は、本発明に係る紙葉類回収搬送システム１（図２参照）が設置される遊技場２の店内レイアウトの一例を示している。遊技場２内には、複数の遊技機島３が通路を隔てて複数配列されている。各遊技機島３には、紙幣の投入を受けて遊技者に遊技球（パチンコ球）を貸し出す遊技球貸機４とパチンコ機などの遊技機５とを一組にしたものが背中合わせになるようにして表裏面に複数組併設収容されている。遊技機島３の内部には、各遊技球貸機４の背面から排出された紙幣を取り込んで遊技機島３の端部の中継ボックス６まで搬送する島内紙幣搬送装置７が設けてある。
【００３０】
図２は、紙葉類回収搬送システム１の全体構成を示している。紙葉類回収搬送システム１は、各遊技機島３をローカルエリアとし、各遊技機島３内の島内紙幣搬送装置７が遊技球貸機４から回収した紙葉類を一時的に蓄える機能と、蓄えた機能を繰り出す機能を有する中継ボックス（中継装置）６と、各店内に張り巡らされて各遊技機島３の中継ボックス６の上方を通って紙葉類を事務所の金庫４１まで搬送する主搬送装置８と、中継ボックス６から繰り出された紙幣を、該中継ボックス６の上方を通る主搬送装置８の搬送路（主搬送管４０）まで搬送する副搬送装置９を備えて構成される。主搬送装置８の搬送路（主搬送管４０）は、たとえば、遊技場２の天井裏を通るように設置される。
【００３１】
中継ボックス６は、該中継ボックス６に係る島内紙幣搬送装置７、副搬送装置９および該副搬送装置９に接続された取込装置４５を制御する制御部２３（図３参照）を内部に備えている。また、事務所の金庫４内には、紙葉類回収搬送システム１全体の動作を制御する主制御部が設けてあり、主制御部と各中継ボックス６内の制御部は通信で接続されて連携動作する。
【００３２】
図３は、島内紙幣搬送装置７の概略構成を示す図である。島内紙幣搬送装置７は、紙幣（紙葉類）の搬送路となる搬送管１２（島内搬送管）と、搬送管１２内にその延設方向に流れる空気流を発生させる空気流発生装置（ブロア）１４を備えている。島内紙幣搬送装置７は、空気流を受けて搬送管１２内を移動可能な搬送補助体１６を、搬送対象の紙幣Ｐより上流で搬送管１２内へ挿入し、該搬送補助体１６で搬送管１２内の紙幣Ｐを後方から押し動かして下流へ搬送する。
【００３３】
遊技機島３の端部に設けられた中継ボックス６の内部に、空気流発生装置１４と、紙幣分離・搬送補助体循環装置１１が設けてある。紙幣分離・搬送補助体循環装置１１は、搬送補助体１６を搬送管１２内に送り出す搬送補助体挿入装置１１ａの機能と、紙幣Ｐとこれを後方から押し動かして搬送してきた搬送補助体１６とを分離してそれぞれを回収する分離回収装置１１ｂの機能を備えると共に、回収した搬送補助体１６を搬送補助体挿入装置１１ａに戻して循環させる機能を果たす。分離回収装置１１ｂで回収した紙幣Ｐは中継ボックス６内に一時収納された後、副搬送装置９へ送り出される。
【００３４】
空気流発生装置１４の空気吹き出し側（空気吹出通路１４ａ）は搬送補助体挿入装置１１ａの空気流入口側に接続され、搬送補助体挿入装置１１ａの空気流出口に、搬送管１２の始端が接続されている。搬送管１２は、搬送補助体挿入装置１１ａの空気流出口から遊技機島３の他方の端部まで延設された往路１２ａと、該他方の端部でＵ字状に折り返すターン部１２ｂと、ターン部１２ｂで折り返した後、往路１２ａの上方を該往路１２ａに沿って中継ボックス６まで戻るように延設された復路１２ｃで構成される。復路１２ｃの終端は、分離回収装置１１ｂの空気流入口に接続され、分離回収装置１１ｂの空気流出口には空気流発生装置１４の空気吸い込み側（空気吸込通路１４ｂ）が接続されている。
【００３５】
空気流発生装置１４はモータでファンを回転させることによって空気流を発生させる。空気流発生装置１４が発生させた空気流は、空気吹出通路１４ａから搬送補助体挿入装置１１ａを通じて搬送管１２の始端に流れ込み、往路１２ａ、ターン部１２ｂ、復路１２ｃを経た後、分離回収装置１１ｂ、空気吸込通路１４ｂを通じて空気流発生装置１４の吸い込み側へ引き込まれるように流れる。
【００３６】
搬送管１２の往路１２ａおよび復路１２ｃは、所定の長さ、たとえば、遊技機島３に併設収容された遊技機５と遊技球貸機４の１セット分の横幅に対応した長さを単位に分割されており、これらを連結ユニット１７で必要本数連結することで、遊技機島３の長手方向の長さに応じて経路長を調整できるようになっている。また、施工現場では、搬送管１２を必要な長さにその場でカットして使用するようになっている。
【００３７】
搬送管１２の復路１２ｃの途中には、各遊技球貸機４に対応する位置に、遊技球貸機４の背面から排出された紙幣Ｐを搬送管１２内へ取り込む紙幣取込装置１８が配設されている。紙幣取込装置１８は、遊技機島３の表面側に配置された遊技球貸機４からの紙幣Ｐを取り込むものと、遊技機島３の裏面側に配置された遊技球貸機４からの紙幣Ｐを取り込むものとが対となるように設けられている。紙幣取込装置１８は、復路１２ｃを構成する搬送管１２と搬送管１２の間に介在してこれらを連結する役割を果たす。
【００３８】
島内紙幣搬送装置７では、紙幣取込装置１８から搬送管１２の復路１２ｃ内に取り込まれた紙幣Ｐは、その紙面が搬送管１２の延設方向に沿う姿勢で所定の取り込み完了位置に滞在する。搬送管１２内に取り込まれて滞在している紙幣Ｐを中継ボックス６まで搬送して回収するために搬送補助体１６が中継ボックス６内の搬送補助体挿入装置１１ａによって搬送管１２内へ送り込まれる。
【００３９】
搬送管１２内へ送り込まれた搬送補助体１６は、空気流発生装置１４が発生させた空気流の作用を受けて往路１２ａ内をターン部１２ｂに向けて移動し、ターン部１２ｂでＵターンした後、復路１２ｃ内を終端部に向けてさらに移動する。このとき、図４に示すように、搬送管１２内の紙幣Ｐを、該紙幣Ｐの後端側から搬送補助体１６が押し動かすことで、搬送管１２の終端部へ向けて（図中の搬送方向Ｆへ）紙幣Ｐが搬送される。図４に示すように、搬送管１２において紙幣Ｐは紙面が鉛直な縦姿勢で搬送される。
【００４０】
紙幣分離・搬送補助体循環装置１１や紙幣取込装置１８は、ＣＰＵ（Central Processing Unit）、ＲＯＭ（Read Only Memory）、ＲＡＭ（Random Access Memory）などを主要部とする制御部２３(図３参照)に制御されて動作する。
【００４１】
本例では、空気流発生装置１４は常時作動させておき、制御部２３は、紙幣取込装置１８に設けたセンサが遊技球貸機４の背面から排出された紙幣Ｐを検知すると紙幣取込装置１８を作動させて該紙幣Ｐを搬送管１２内に取り込む。そして、この取り込み動作が完了したら紙幣分離・搬送補助体循環装置１１の搬送補助体挿入装置１１ａから搬送補助体１６を搬送管１２内へ送り込む。すると、この搬送補助体１６が空気流の作用を受けて搬送管１２内を移動し、紙幣Ｐを後方から押し動かして搬送する。そして、中継ボックス６内の分離回収装置１１ｂは搬送補助体１６の到来を検知すると紙幣Ｐと搬送補助体１６を分離してそれぞれを回収し、その回収した搬送補助体１６は次回の送出に備えて搬送補助体挿入装置１１ａへ案内し、回収した紙幣Ｐは中継ボックス６内に一時収納した後、副搬送装置９（図２参照）へ送り出す。
【００４２】
なお、空気流発生装置１４を必要時（たとえば、紙幣取込装置１８が遊技球貸機３からの紙幣を検知した時点からその紙幣が中継ボックス６内の分離回収装置１１ｂよって回収されるまでの間）のみ動作させるように制御してもよい。
【００４３】
このように、空気流の作用を受けて搬送補助体１６が移動し、この搬送補助体１６によって紙幣Ｐを後端側から押し動かして搬送するので、紙幣Ｐ自体は空気流を受けて推進力を得る必要がない。したがって、空気流を受けるために紙幣Ｐを折り曲げる等の措置を施すことなく、紙幣Ｐを空気流によって搬送することができる。また、搬送補助体１６は紙幣Ｐに比べて効率よく空気流から推進力を得ることができるので、紙幣Ｐを効率よく搬送することができる。
【００４４】
次に、搬送管１２および搬送補助体１６の形状について詳細に説明する。
【００４５】
図５は、直線部分（往路１２ａおよび復路１２ｃの部分）における搬送管１２の斜視図を、図６は、同部分の搬送管１２の延設方向Ｆ（＝紙幣の搬送方向Ｆ＝空気流の流れる方向）に垂直な断面形状を示す断面図である。搬送管１２は、厚さ１．５ミリほどの樹脂で形成されている。搬送管１２は、たとえば、押し出し成型によって形成される。
【００４６】
搬送管１２の直線部分の延設方向Ｆに垂直な断面の断面形状は、縦長の長方形の左右の側壁の中央部分が外側へ矩形に拡張した形状を成している。詳細には、搬送管１２は、上下の壁部３１と、左右の側壁部３２と、左右の側壁部３２の上下方向の中央部分において外側へ矩形に張り出した拡張部３３とを備えている。なお、搬送管１２の延設方向（搬送方向Ｆ）に垂直な略長方形の断面における短辺方向をＸ方向（もしくは幅方向、左右方向）、長辺方向をＹ方向（もしくは高さ方向、上下方向）とする。Ｘ方向、Ｙ方向それぞれにおいて搬送管１２の中心に向かう方向を内側、中心から内壁へ向かう方向を外側と呼ぶものとする。なお、本実施の形態では、搬送管１２をその断面における長辺が上下方向となる向きで使用するが、短辺が上下方向となる向きで使用されてもかまわない。
【００４７】
拡張部３３は、搬送管１２の内側方向へ立設された分離壁３４によって上下２つに区切られている。分離壁３４は拡張部３３の内壁にＴ字型の部材を貼り付けて形成されている。
【００４８】
側壁部３２には、搬送管１２の内側方向へ突起した複数本のリブ３５が搬送方向に沿って延設形成されている。本例では、側壁部３２と拡張部３３の境界部に搬送管１２の内側へ突出するリブ３５が搬送方向に沿って形成されている。分離壁３４はリブ３５と同じ高さになっており、分離壁３４の頂部はリブとしての作用を果たす。
【００４９】
側壁部３２は、搬送される紙幣Ｐの紙面に対向する一対の内壁となっている。紙幣Ｐは長方形をなしており、搬送管１２内を、長辺が搬送方向Ｆとなる向きで搬送される。言い換えると、紙面が搬送管１２の側壁部３２に対向しかつ紙幣Ｐの一方の短辺が搬送方向の先端側となり他方の短辺が後端側となる向きで搬送される。
【００５０】
搬送管１２の上の壁部３１と下の壁部３１との間隔Ｄｙは紙幣Ｐの短辺より僅かに長くされている。また、左右の側壁部３２（リブ３５や拡張部３３、分離壁３４が形成されていない部分（基準平面部とする））の間隔Ｄｘは２１ミリほどに設定されている。左右の側壁部３２に設けられた拡張部３３はそれぞれ側壁部３２（基準平面部）よりも外側へ６ミリほど拡張している。リブ３５および分離壁３４の頂は、側壁部３２（基準平面部）から内側へ約２ミリの高さになっている。リブ３５の高さは適宜に設定すればよい。
【００５１】
図７は、搬送補助体１６の平面および正面を示している。搬送補助体１６は、各部で径が異なる断面円形の柱状を成している。搬送補助体１６は、円柱の中心軸が搬送管１２のＹ方向（高さ方向）となるように搬送管１２内に挿入されて使用される。搬送補助体１６は、上下対象な形状であり、上から順に、頭部１６ａ、頭部よりやや径の小さい首部１６ｂ、頭部１６ａより径が大きい大径部１６ｃ、首部１６ｂと同径であって上下の中央に位置する括れ部１６ｄ、大径部１６ｃ、首部１６ｂ、頭部１６ａを有して構成される。搬送補助体１６は、軽量、丈夫であり、たとえば、プラスティックなどにより内部が空洞に形成される。なお、軽量、丈夫であれば、発泡スチロールや押出発泡ポリスチレンなどにより形成されてもよい。
【００５２】
図８は、搬送管１２内に搬送補助体１６を挿入した状態における、延設方向Ｆに垂直であって搬送補助体１６の中心軸を通る断面を示している。搬送補助体１６の各部の径は、搬送管１２の内縁形状に対応している。すなわち、搬送補助体１６の中心軸を通る断面形状は、延設方向Ｆと垂直な断面における搬送管１２の内縁形状に対応した形状となっており、搬送管１２の内側を、内壁との間に所定のクリアランスをあけてほぼ塞ぐ形状になっている。
【００５３】
このように、搬送補助体１６は、搬送管１２の内縁形状に対応する形状（若干のクリアランスをもってほぼ同一の形状）をなして搬送管１２の断面のほぼ全体を塞ぐので、空気流の作用を効率よく受けて移動することができる。さらに搬送補助体１６は上流からの空気流が搬送補助体１６の下流側へ至るのを防ぎ、下流側での空気流の乱れを抑制する役割を果たす。
【００５４】
紙幣Ｐは、搬送管１２内の空気流から作用を受けると側壁部３２に張り付く傾向にある。すなわち、紙幣Ｐの一方の紙面とこれに対向する側壁部３２との間隔と、他方の紙面とこれに対向する側壁部３２との間隔とが均等になることはほとんどなく、いずれかの間隔が他方より狭くなると、空気流の流速は狭い間隔側で広い間隔側より速くなるため、狭い間隔側の気圧が広い間隔側の気圧より低くなり、この気圧差によって紙幣Ｐが狭い間隔側の側壁部３２へ吸着・押圧される。そうなると、狭い間隔側の間隔がさらに狭くなり、紙幣Ｐが側壁部３２へ張り付き吸着する現象が生じる。
【００５５】
紙幣Ｐが強く側壁部３２に張り付くと、搬送補助体１６で紙幣Ｐを押し動かして搬送することが難しくなるが、上記のように搬送補助体１６はその下流側への空気の流れを遮る（少なくする）作用を果たすので、紙幣Ｐが張り付き吸着する力は小さくなり、円滑な搬送が実現される。
【００５６】
搬送補助体１６が有する２つの大径部１６ｃは、搬送管１２の分離壁３４に区切られた２つの拡張部３３のそれぞれに係合する。拡張部３３は、搬送補助体１６の大径部１６ｃと係合することで、搬送管１２内での搬送補助体の位置や姿勢を規制するガイドの役割を果たす。本例では、拡張部３３を分離壁３４によって２つに区切ると共に、これらの拡張部３３を搬送管１２のＹ方向の中央寄りに設けてあるので、搬送補助体１６を安定した姿勢に維持して移動させることができる。また、搬送補助体１６の姿勢が安定するので、紙幣Ｐの後端に搬送補助体１６の大径部１６ｃが線状に当接して安定した搬送力を与えることができる。また、搬送管１２と搬送補助体１６との間に紙幣Ｐが巻き込まれ難くなる。
【００５７】
搬送補助体１６は、大径部１６ｃを設けることで、空気流の作用を受ける部分の面積が拡大し、移動するための力を効率よく受けることができる。また、大径部１６ｃを設けて空気流の作用を効率的に受けるので、その分、頭部１６ａの径を小さくすることができる。頭部の径を小さくすることで、搬送管１２内の対向する一対の側壁部３２の間隔（幅（Ｄｘ））を狭くすることができ、紙幣Ｐの倒れを防ぐことができる。
【００５８】
さらに、側壁部３２に設けた複数本のリブ３５の存在により、紙幣Ｐが側壁部３２にぴったりと張り付くことが防止される。すなわち、紙幣Ｐと側壁部３２との接触面積が少なくなって摩擦が軽減され、静電気の発生等を抑えることができる。また、紙幣Ｐが側壁部３２に張り付いた場合でも、その紙幣Ｐはリブ３５の先端部分で支持されるため、リブ３５の周辺では側壁部３２と紙幣Ｐとの間に隙間が確保され、張り付き力が小さく抑えられる。また分離壁３４によって紙幣Ｐが支えられるので、紙幣Ｐが拡張部３３の窪みに落ち込むことが防止される。
【００５９】
また、側壁部３２から内側に突出する複数のリブ３５や分離壁３４の頂部は、搬送管１２の幅方向（Ｘ方向）における実質的な紙幣Ｐの通路幅Ｗを、基準平面部間距離Ｄｘより狭くする役割を果たす。これにより、縦姿勢の紙幣Ｐが搬送管１２内で横倒れし難くなり、紙幣Ｐの姿勢がＹ方向に沿うように保持される。特に、リブ３５を複数設けることで、紙幣Ｐの倒れを適切に防ぐと共に、紙幣Ｐの側壁部３２への張り付きも効果的に防止される。なお、リブ３５を設けた分だけＤｘを大きくすることができ、これによって搬送管１２の断面積を大きくして搬送補助体１６が空気流の作用を受けやすくなっている。
【００６０】
本実施の形態に係る搬送補助体１６の場合、大径部１６ｃの径が最も大きいので、図４に示すように、この大径部１６ｃが紙幣Ｐの後端に当接して押し動かすようになる。なお、搬送補助体１６の形状や搬送管１２の形状は上記に限定されない。たとえば、大径部１６ｃを１つのみ備える形状、径が一定の円柱状、軸中心に向けて次第に径が大きくなるラグビーボールのような形状であってもよい。
【００６１】
島内紙幣搬送装置７の搬送管１２は図４、図５に示すように、縦姿勢にされており、紙幣Ｐは島内紙幣搬送装置７の搬送管１２内を、紙面を上下に立てた姿勢（縦姿勢）で搬送される。遊技機島３においては、設置台数を多くするためにも、遊技球貸機４は正面の幅が狭く形成されるので、遊技球貸機４に設けられた紙幣投入口も、通常は、縦長にされ、該紙幣投入口に紙幣Ｐは紙面を立てた縦姿勢で挿入される。そのため、島内紙幣搬送装置７の搬送管１２は、紙面を立てた縦姿勢のままで紙幣Ｐを遊技球貸機４から受け入れて、縦姿勢のまま搬送する。
【００６２】
主搬送装置８は、島内紙幣搬送装置７の搬送管１２と同じ構造の搬送管である主搬送管４０を搬送路として有し（図２参照）、主搬送管４０内に発生させた空気流で搬送補助体１６を移動させ、この搬送補助体１６で紙幣Ｐを後方から押して目的地（金庫４１）へ搬送する。主搬送装置８の主搬送管４０は全域で縦姿勢にされている。
【００６３】
主搬送装置８は、金庫４１の中に空気流発生装置１４や搬送補助体挿入装置１１ａ、分離回収装置１１ｂを備えている。また、主搬送管４０の途中(折り返し箇所)には中継装置４４が介挿されている。中継装置４４は、主搬送管４０の往路から到来する搬送補助体１６を受け入れて一度保持した後、主搬送管４０の復路に送り出す機能を果たす。また、主搬送管４０の往路の終端から空気を吸引し、復路の始端へ空気流を送り出すことによって空気流を強める機能を果たす。
【００６４】
主搬送装置８の搬送路を構成する主搬送管４０の復路の途中には、副搬送装置９によって搬送されてきた紙幣Ｐを縦姿勢で主搬送管４０内に取り込む取込装置４５が設けてある。
【００６５】
副搬送装置９は、中継ボックス６から繰り出された紙幣Ｐを受け入れ、これを上方の天井裏等に延設された主搬送管４０の復路の途中に設けられた取込装置４５へ搬送する。副搬送装置９は、島内紙幣搬送装置７の搬送管１２と同じ構造の副搬送管９１を搬送路として備え、空気流で移動する搬送補助体１６で紙幣Ｐを押し上げて搬送する。たとえば、図１１に示すように、副搬送装置９は、紙幣Ｐを縦長の縦姿勢で上方へ搬送し、途中の第２湾曲管５２で進路を水平方向に変更して紙幣Ｐを横長の縦姿勢とし、該横長の縦姿勢で紙幣Ｐを取込装置４５へ受け渡す。
【００６６】
なお、島内紙幣搬送装置７、主搬送装置８、副搬送装置９において紙幣Ｐを搬送する方式は、空気流と搬送補助体１６を用いる方式に限定されるものではなく、たとえば、搬送補助体を用いずに空気流の作用で紙幣Ｐを搬送する方式であってよい。
【００６７】
主搬送管４０や副搬送管９１は、直線管と、湾曲管を繋ぎ合わせて構成される。直線管は、図３、図４に示す直線状の搬送管である。湾曲管には、紙幣Ｐが紙面を内側に曲げながら通って進行方向を９０度変える第１湾曲管５１と、紙面が平らなまま紙幣Ｐをその紙面が含まれた平面内でカーブさせて進行方向を９０度変える第２湾曲管５２の２種類がある。
【００６８】
図２に示すように、紙幣Ｐを縦姿勢で搬送する場合、左右へ曲がる箇所では第１湾曲管５１を使用し、進路を縦（上下方向）／横（水平方向）に変える箇所では第２湾曲管５２を使用する。
【００６９】
図９は、中継ボックス６と副搬送装置９と取込装置４５の位置関係の一例を示している。図９は図２の一部を拡大示したものである。副搬送装置９の副搬送管９１は、直線管５０、ねじり管５４と、第２湾曲管５２で構成されている。図９の例では、当初、紙幣Ｐは、紙面が取込装置４５前後の主搬送管４０内を搬送される紙幣Ｐと平行な向きの縦長の縦姿勢で直線管５０を通じて上方へ進み、その後、ねじり管５４を通して紙面の向きを縦長の縦姿勢のまま９０度変更する。その後、紙幣Ｐは、第２湾曲管５２を通じて進行方向を取込装置４５へ向かう水平方向に変えて横長の縦姿勢となり、該横長の縦姿勢のまま直線管５０を通して取込装置４５へ受け渡される。取込装置４５は、横長縦姿勢の紙幣Ｐを、その紙面が内側を向くように湾曲させ、進路を主搬送管４０の延設方向に変更して、主搬送管４０内へ送り出す。
【００７０】
なお、図１０に示すように、ねじり管５４は、少量ずつねじられた短いサブねじり管５４ａを複数接続して所望の角度のねじりを実現する。ここでは、１０個のサブねじり管５４ａを接続して９０度のねじりを形成し、その下流端に搬送管との接続部５４ｂを接続してある。接続部５４ｂの部分にはねじれは無く直線状になっている。
【００７１】
図１１は、中継ボックス６と副搬送装置９と取込装置４５の位置関係の他の一例を示している。図１１では、副搬送装置９の副搬送管９１は、直線管５０と第２湾曲管５２で構成されている。同図では、当初、紙幣Ｐは、紙面が取込装置４５の前後の主搬送管４０内を搬送される紙幣Ｐの紙面に垂直な向きの縦長の縦姿勢で直線管５０を通じて上方へ進み、その後、第２湾曲管５２を通じて進行方向を取込装置４５へ向かう水平方向に変えて横長の縦姿勢となり、該横長の縦姿勢のまま直線管５０を通して取込装置４５へ受け渡される。取込装置４５は、横長縦姿勢の紙幣Ｐを、その紙面が内側を向くように湾曲させ、進路を主搬送管４０の延設方向に変更して、主搬送管４０内へ送り出す。
【００７２】
図１２は、中継ボックス６と副搬送装置９と取込装置４５の位置関係の他の一例を示している。図１２では、副搬送装置９の副搬送管９１は、直線管５０、ねじり管５４、第１湾曲管５１および第２湾曲管５２で構成されている。図１２では、当初、紙幣Ｐは、紙面が取込装置４５の前後の主搬送管４０内を搬送される紙幣Ｐの紙面に垂直な向きの縦長の縦姿勢で直線管５０を通じて上方へ進み、その後、縦長の縦姿勢のまま、ねじり管５４を通して紙面の向きを９０度変更し、紙面が主搬送管４０内を搬送される紙幣Ｐの紙面と平行な向きにされる。その後、第２湾曲管５２を通じて進行方向を水平方向に変えて横長の縦姿勢となり、さらに第１湾曲管５１を経て横長縦姿勢のまま進路を左へ９０度変更して、取込装置４５へ受け渡される。取込装置４５は、横長縦姿勢の紙幣Ｐを、その紙面が内側を向くように湾曲させ、進路を主搬送管４０の延設方向に変更して、主搬送管４０内へ送り出す。
【００７３】
次に、第２湾曲管５２の形状について詳細に説明する。タイプ１の第２湾曲管５２ａとタイプ２の第２湾曲管５２ｂを示す。
【００７４】
＜タイプ１の第２湾曲管５２ａ＞
図１３は、タイプ１の第２湾曲管５２ａを示す斜視図、図１４はタイプ１の第２湾曲管５２ａの正面および平面を、図１５は図１４のＡ−Ａ断面図を示している。タイプ１の第２湾曲管５２ａの搬送方向に垂直な断面の形状は、搬送管１２と基本的に同一であり、上下の壁部３１、左右の側壁部３２、拡張部３３、分離壁３４、リブ３５を備える。
【００７５】
タイプ１の第２湾曲管５２ａは、入口および出口においては搬送管１２と同じ断面形状・サイズであるが、湾曲の外径側内壁と内径側内壁との距離（Ｄｙ）が、入口から出口に至る経路の中央部に向けて該経路の両端(入口および出口)から次第に大きくなるように形成されている。外径側内壁と内径側内壁との距離（Ｄｙ）は経路の中央部で最大になっている。
【００７６】
また、入口から出口に至る経路のどの箇所においても、外径側内壁から拡張部３３までの距離Ｌ１と内径側内壁から拡張部３３までの距離Ｌ２は同じである（Ｌ１＝Ｌ２）。拡張部３３のＤｙ方向の幅（Ｄｙ−（Ｌ１＋Ｌ２））は入口から出口に至る経路のどの箇所においても一定である。
【００７７】
よって、入口から出口に至る経路の何れの箇所においても拡張部３３は外径側内壁と内径側内壁の中央に位置し、Ｌ１、Ｌ２は入口から中央部にかけて次第に増し、中央部から出口にかけて次第に減って出口において入口と同じ長さに戻っている。搬送補助体１６は拡張部３３に大径部１６ｃを係合させて移動（拡張部３３にガイドされて移動）するので、搬送補助体１６は、第２湾曲管５２ａ内を外径側内壁と内径側内壁の中央に位置しながら第２湾曲管５２ａを通過することになる。
【００７８】
＜タイプ２の第２湾曲管５２ｂ＞
図１６は、タイプ２の第２湾曲管５２ｂを示す斜視図、図１７はタイプ２の第２湾曲管５２ｂの正面および平面を、図１８は図１７のＢ−Ｂ断面図を示している。タイプ２の第２湾曲管５２ｂの搬送方向に垂直な断面形状は、直線部５０の搬送管１２と基本的に同一であり、上下の壁部３１、左右の側壁部３２、拡張部３３、分離壁３４、リブ３５を備える。
【００７９】
タイプ２の第２湾曲管５２ｂは、入口および出口においては直線部の搬送管１２と同じ断面形状・サイズであるが、湾曲の外径側内壁と内径側内壁との距離（Ｄｙ）が、入口から出口に至る経路の中央部に向けて該経路の両端(入口および出口)から次第に大きくなるように形成されている。外径側内壁と内径側内壁との距離（Ｄｙ）は経路の中央部で最大になっている。
【００８０】
タイプ１の湾曲部５２ａとの相違は次の点である。タイプ２の第２湾曲管５２ｂでは、入口と出口では外径側内壁から拡張部３３までの距離Ｌ１と内径側内壁から拡張部３３までの距離Ｌ２は同じであるが、入口から経路の中央部にかけて次第にＬ２がＬ１より大きくなり、中央部から出口にかけてＬ２とＬ１の差が次第に減り、出口ではＬ１＝Ｌ２に戻っている。ここでは、Ｌ１は入口から出口に至る経路のどの箇所においても一定であり、Ｌ２が中央部に近づくほど大きくなっている。
【００８１】
したがって、拡張部３３は第２湾曲管５２ｂの入口と出口では外径側内壁と内径側内壁の中央に位置し、中央部に近づけば近づくほどＬ２が増える分、外径側内壁に片寄った位置にある。搬送補助体１６は拡張部３３に大径部１６ｃを係合させて移動（拡張部３３にガイドされて移動）するので、搬送補助体１６は、第２湾曲管５２ｂ内を外径側内壁の方へ片寄りながら通過する。
【００８２】
図１９は、折れ等のない正常な紙幣(正常札)Ｐがタイプ１の第２湾曲管５２ａを通過する様子を示し、図２０は、折れ等のない正常札Ｐがタイプ２の第２湾曲管５２ｂを通過する様子を示している。図１９に示すように、タイプ１の第２湾曲管５２ａでは、入口から出口に至る経路のどの箇所でも、内径側内壁とこれに対面する搬送補助体１６の端部との隙間と、外径側内壁とこれに対面する搬送補助体１６の端部との隙間は等しく、搬送補助体１６は常に外径側内壁と内径側内壁の中央に位置しながら第２湾曲管５２ａ内を通過する。
【００８３】
図１９、図２０に示すように、第２湾曲管５２の入口および出口の近傍では、搬送補助体１６の軸方向と紙幣Ｐの後端の辺とが平行なので、搬送補助体１６の大径部１６ｃが紙幣Ｐの後端の辺に広範囲に線状に接触して該紙幣Ｐを押し動かす。
【００８４】
一方、入口から出口に至る経路の中央部では、搬送補助体１６の軸方向に対して紙幣Ｐの後端の辺が傾斜した位置関係になる。そのため、搬送補助体１６の大径部１６ｃと紙幣Ｐの後端との接触面積は少なくなるが、折れ等のない正常札Ｐであれば、搬送補助体１６の大径部１６ｃが、紙幣Ｐの後端の角部分ではなく、紙幣Ｐの後端の辺の部分と線状に接触するので、搬送補助体１６はしっかりと紙幣Ｐを押し動かすことができる。
【００８５】
なお、搬送補助体１６は軸方向の中央部が両端より太い大径部１６ｃになっているので、搬送補助体１６の軸方向に対して紙幣Ｐの後端の辺が傾斜した位置関係であっても、大径部１６ｃが紙幣Ｐ後端の辺と線状に接触し易くなっている。
【００８６】
搬送対象の紙幣Ｐには、図２１に示すように、Ｚ字状に折れ曲がったＺ札、先端が切れた切れ札、角が折れた折れ札、カールしたカール札、先端や後端が紙面を内側にロールしたロール札など各種の異常札がある。湾曲部５２はこのような異常札であっても詰まりなく通過し得るものでなければならない。
【００８７】
図２２は、異常札(たとえば、Ｚ札)がタイプ１の第２湾曲管５２ａを通過する様子を示し、図２３は、図２２と同じ異常札Ｐがタイプ２の第２湾曲管５２ｂを通過する様子を示している。
【００８８】
図２２に示すように、タイプ１の第２湾曲管５２ａでは、紙幣Ｐは、経路の中央部において、外径側内壁に先端および後端の角を接触させながら外径側内壁に片寄って進行するのに対して、搬送補助体１６は、拡張部３３にガイドされて外径側内壁と内径側内壁の中央を移動する。そのため、折れのために紙幣の高さが低くなったＺ札などでは、搬送補助体１６の大径部１６ｃに、紙幣Ｐの後端の辺の部分ではなく、後端の角の部分が点で接触するようになる。その結果、搬送補助体１６の大径部１６ｃで紙幣Ｐを安定に押し動かすことができず、点接触している紙幣Ｐの角部が搬送補助体１６の大径部１６ｃから外れたり、大径部１６から外れた箇所が第２湾曲管５２ａの内壁と搬送補助体１６との間に挟まったりして、紙幣Ｐの詰まりの生じる場合がある。
【００８９】
一方、図２３に示すように、タイプ２の第２湾曲管５２ｂでは、紙幣Ｐは、経路の中央部において、外径側内壁に先端および後端の角を接触させながら外径側内壁に片寄って進行し、搬送補助体１６も拡張部３３にガイドされて外径側内壁側へ片寄りながら移動する。そのため、折れのために紙幣の高さが低くなったＺ札などであっても、搬送補助体１６の大径部１６ｃに、紙幣Ｐの後端の角部ではなく、後端の辺の部分が線状に接触し、搬送補助体１６の大径部１６ｃで紙幣Ｐを安定に押し動かすことができる。したがって、紙幣Ｐの後端が搬送補助体１６の大径部１６ｃから外れたり、大径部１６から外れた紙幣Ｐが第２湾曲管５２ｂの内壁と搬送補助体１６との間に挟まったりすることなく、異常札であっても詰まりなく通過させることができる。
【００９０】
なお、タイプ２の第２湾曲管５２ｂは、異常札を考慮した場合、タイプ１の第２湾曲管５２ａより好ましい態様であるが、湾曲の半径が十分大ければタイプ１の第２湾曲管５２ａであってもＺ札等の異常札を問題なく通過させることができる。
【００９１】
なお、拡張部３３の幅を、両端から中央部にかけて次第に増やすようにしてもよい。
【００９２】
次に、副搬送装置９について説明する。
【００９３】
図２４は、副搬送装置９と該副搬送装置９に接続された取込装置４５（およびその前後の主搬送管４０）を示す断面図である。図２４では副搬送管９１の途中は図示省略されている。図２４の下半部では、副搬送管９１は上下方向に延設されており、上方へ搬送される紙幣の紙面に直交しかつ垂直な方向に副搬送管９１の中央を切断した断面を示している。図２４の上半部では、副搬送管９１が取込装置４５へ向けて水平に延設されており、横長縦姿勢で水平に搬送される紙幣の紙面に直交しかつ水平な方向に副搬送管９１の中央を切断した断面を示している。
【００９４】
副搬送装置９は、副搬送管９１と、副搬送管９１の中を往復移動する搬送補助体１６と、副搬送管９１の下端に取り付けられ、中継ボックス６からの紙幣Ｐを副搬送管９１内に送り出す紙幣送り出し装置９３と、副搬送管９１内に紙幣送り出し装置９３側から取込装置４５側へ向かう空気流を発生させる往路空気流発生装置９５と、副搬送管９１内に取込装置４５側から紙幣送り出し装置９３側へ向かう空気流を発生させる復路空気流発生装置９７を備えている。
【００９５】
副搬送管９１は、図９、図１１、図１２に示すように、直線管５０と第２湾曲管５２を繋いで、もしくはさらにねじり管５４を繋いで構成される。
【００９６】
図２５に示すように、紙幣送り出し装置９３は、副搬送管９１と同様の断面形状を有して副搬送管９１の下端に連通する通路部１０１と、該通路部１０１の一方の側壁に設けられた、紙幣Ｐを取り込むための紙幣取り込み開口１０２と、紙幣取り込み開口１０２から通路部１０１の中へ斜め上向きに紙幣Ｐを送り出すための搬送ローラ１０３等を備えている。紙幣取り込み開口１０２へ向かう紙幣通路の途中には、副搬送管９１内の空気が外へ漏れないようにシャッタ１０４が設けてある。シャッタ１０４は紙幣通路を閉じる方向にバネで付勢されており、紙幣Ｐはこれを押し開いて通過する。
【００９７】
通路部１０１の下端は幅狭になっており、搬送補助体１６を受け止めて保持する待機位置となっている。また、通路部１０１の下端には、往路空気流発生装置９５からの空気流の流入口および復路空気流発生装置９７からの空気流の排出口となる下部通気口１０５が設けてある。復路空気流発生装置９７からの空気流は下部通気口１０５、往路空気流発生装置９５を経て外部へ排気される。
【００９８】
図２４に示すように、副搬送管９１の上端は幅狭にされた紙幣通過口１０６を備えており、搬送補助体１６は副搬送管９１の上端の幅狭となった紙幣通過口１０６の周囲に当接して停止し、搬送補助体１６によって搬送されてきた紙幣Ｐは紙幣通過口１０６を通過して取込装置４５内へ進入する。副搬送管９１の上端の幅狭部分で搬送補助体１６が停止する位置を搬送完了位置とする。
【００９９】
復路空気流発生装置９７は、紙幣通過口１０６から取込装置４５へ向かう通路の途中に通じており、復路空気流発生装置９７からの空気流は紙幣通過口１０６から副搬送管９１内へ送り込まれる。また、往路空気流発生装置９５からの空気流は紙幣通過口１０６から復路空気流発生装置９７を経て外部へ排気される。
【０１００】
副搬送装置９は、図２４に示すように、紙幣取り込み開口１０２を通過中の紙幣Ｐが有るか否かを検知する紙幣繰り出しセンサＳ１１、待機位置に搬送補助体１６が存在するか否かを検知する待機位置センサＳ１２、搬送完了位置に搬送補助体１６が存在するか否かを検知する搬送完了位置センサＳ１３を備えている。
【０１０１】
紙幣繰り出しセンサＳ１１、待機位置センサＳ１２、搬送完了位置センサＳ１３および後述する紙幣検出センサＳ１４、紙幣排出検知センサＳ１５はそれぞれ発光部と受光部を対向配置して備える透過型の光センサであり、発光部と受光部の間に光を遮る物体（紙幣Ｐや搬送補助体１６などの検出対象）が存在するとセンサ出力が（暗）になり、発光部と受光部の間に光を遮る物体が存在しなければオン（明）になる。なお、センサの種類はこれに限定されるものではなく、適宜に選択してよい。
【０１０２】
副搬送装置９は、紙幣送り出し装置９３によって副搬送管９１の下端の通路部１０１内に取り込んだ紙幣Ｐを、往路空気流発生装置９５が発生させる空気流によって移動する搬送補助体１６で後方から押し動かして取込装置４５(搬送完了位置)へ搬送し、その紙幣Ｐが取込装置４５によって主搬送管４０内へ送り出されるまで往路空気流発生装置９５を作動させて搬送補助体１６を搬送完了位置に保持する。
【０１０３】
搬送した紙幣Ｐが主搬送管４０内へ送り出されたら、往路空気流発生装置９５を停止させ、代わりに復路空気流発生装置９７を作動させ、復路空気流発生装置９７が発生させた空気流により搬送補助体１６を副搬送管９１の下端の待機位置まで移動させる。取込装置４５に至る直前の所定範囲の副搬送管９１は水平に延設されているので、往路空気流発生装置９５をオフしただけでは、搬送補助体１６は待機位置へ戻らず、復路空気流発生装置９７を使用して搬送補助体１６を待機位置へ移動させている。
【０１０４】
次に、取込装置４５について説明する。
【０１０５】
図２６は取込装置４５の外観を示す平面図、図２７は図２６のＣ−Ｃ断面図、図２８は図２６の取込装置４５を図２７のＤ−Ｄ線の位置で切断した断面図である。
【０１０６】
取込装置４５は、主搬送管４０の直線管５０と同じの断面形状を有し、前後に主搬送管４０の直線管５０が接続される介挿通路部１２０を有する。介挿通路部１２０は主搬送管４０の直線部５０と同様の内側形状を備えており、搬送補助体１６は介挿通路部１２０を円滑に通過することができる。取込装置４５の介挿通路部１２０は、主搬送管４０と同様に、紙幣Ｐを横長の縦姿勢で通過させる。
【０１０７】
介挿通路部１２０の、通過する紙幣Ｐの一方の紙面に対向する壁面には、副搬送装置９によって搬送されてきた紙幣Ｐを介挿通路部１２０内に取り込むための開口１２１が形成されている。開口１２１の下流近傍の介挿通路部１２０には、開口１２１から進入してきた紙幣Ｐを検出する紙幣排出検知センサＳ１５が設けてある（図２４参照）。
【０１０８】
取込装置４５は、副搬送装置９が搬送してきた紙幣Ｐを受け入れ、これを開口１２１から介挿通路部１２０内へ送り出すまでの通路となる進入通路部１３０を備えている。進入通路部１３０は介挿通路部１２０に直交する。
【０１０９】
進入通路部１３０は、副搬送装置９の紙幣通過口１０６に繋がっており、進入通路部１３０のうちの紙幣通過口１０６から所定距離下流までの範囲は、紙幣通過口１０６から進入して来る紙幣Ｐの紙面に対面する内壁から該紙幣Ｐの紙面に向けて内側へ突出するリブ１３１が紙幣Ｐの進入方向に沿って延設された通過部１３０ａとなっている。両内壁から内側へ突出するリブ１３１とリブ１３１の間の空間が通過部１３０ａにおける紙幣Ｐの通路となる。リブ１３１の高さは下流へ進むほど高くなり、通過部１３０ａの終端に進むほど紙幣の厚み方向の通路幅は狭くされている。
【０１１０】
進入通路部１３０のうち、リブ１３１の形成された通過部１３０ａの下流側は、通過部１３０ａを通ってきた紙幣Ｐを介挿通路部１２０の開口１２１に向けて搬送する搬送部１３０ｂとなっている。
【０１１１】
搬送部１３０ｂは、開口１２１に通じる紙幣案内路１３３と、紙幣Ｐを搬送する搬送ベルト１３４と搬送ベルト１３４によって搬送されてきた紙幣Ｐをさらに開口１２１に向けて送り出し、該紙幣Ｐをその終端まで完全に介挿通路部１２０内へ送り出す作用を果たす一対の紙幣排出ローラ１３５ａおよび繰り出しローラ１３５ｂと、主搬送管４０内の空気流が介挿通路部１２０の開口１２１から紙幣案内路１３３を通じて外部へ漏れ出るのを防ぐために該紙幣案内路１３３の途中に設けられて紙幣案内路１３３を開閉するシャッタ１３６と、搬送ベルト１３４、紙幣排出ローラ１３５ａ、繰り出しローラ１３５ｂを駆動するモータ等を備えている。
【０１１２】
シャッタ１３６はバネなどにより常時は閉位置に向けて付勢されており、紙幣Ｐが開口１２１へ向う際に該シャッタ１３６を押し開いて通過するようになっている。
【０１１３】
搬送部１３０ｂはさらに、搬送ベルト１３４による搬送が上手くいかずに紙幣案内路１３３内で滞っている紙幣Ｐを搬送ベルト１３４に向けて押圧し、搬送ベルト１３４との間に挟持して搬送を補助するための挟持ローラ１３７を備えている。
【０１１４】
挟持ローラ１３７は、揺動する可動アーム１３９の一端に支持されており、可動アーム１３９の他端に接続されたソレノイド１３８のオンオフにより、紙幣案内路１３３の中に進出して搬送ベルト１３３との間に紙幣Ｐを挟持する挟持位置(図２９参照)と、紙幣案内路１３３から退避した退避位置（図２８参照）とに変位する。
【０１１５】
図２７に示すように、搬送ベルト１３４は、紙幣Ｐの幅方向の左右に分けて２本架け渡してあり、挟持ローラ１３７は、これらの搬送ベルト１３４の間(紙幣の幅方向の中央)であって搬送ベルト１３４の上流寄りに位置している。また、挟持ローラ１３７の少し下流側に、紙幣Ｐを検出する紙幣検出センサＳ１４が設けてある。前述したように、紙幣検出センサＳ１４は発光部と受光部を有する透過型の光センサである。
【０１１６】
取込装置４５は、紙幣検出センサＳ１４が紙幣を所定時間以上検出したとき、すなわち、搬送ベルト１３４よる搬送が上手くいかずに紙幣案内路１３３内で紙幣Ｐが詰まっていることを検出したとき、ソレノイド１３８をオンにして挟持ローラ１３７を挟持位置に変位させ、挟持ローラ１３７と搬送ベルト１３４の間に紙幣Ｐを挟み込んで搬送する。
【０１１７】
紙幣検出センサＳ１４が紙幣Ｐを検出しなくなったらソレノイド１３８をオフにして挟持ローラ１３７を退避位置に戻す。取込装置４５は、紙幣検出センサＳ１４によって紙幣詰まりが検出されなければ、ソレノイド１３８をオンにせず、挟持ローラ１３７を退避位置のままとし、紙幣Ｐを搬送ベルト１３４、紙幣排出ローラ１３５ａ、繰り出しローラ１３５ｂで搬送する。
【０１１８】
また、一対の紙幣排出ローラ１３５ａに至る直前の紙幣案内路１３３には、紙幣Ｐに左右両側から当接して紙幣Ｐを紙幣排出ローラ１３５ａへ案内する紙幣排出ローラガイド１３５ｃが設けてある(図２７参照)。
【０１１９】
図２７に示すように、リブ１３１は、進入通路部１３０の幅方向の中央部にのみに設けてあり、両サイドは、リブ１３１の頂の高さに対応する壁面を構成する規制部１４１となっている。
【０１２０】
また、通過部１３０ａと搬送部１３０ｂとの間には、通過部１３０ａに形成されたリブ１３１の根本から頂側へ斜めに傾斜して下流の搬送部１３０ｂへ至る案内壁１４３が設けてある（案内壁１４３の傾斜については図２８を参照）。
【０１２１】
規制部１４１、案内壁１４３の役割を、これらが無い場合と対比して説明する。
【０１２２】
図３０は、規制部１４１、案内壁１４３のない取込装置４５´を示している。図３０は図２７に対応する図である。図２７の取込装置４５と同じ部分には同じ符号を付してある。
【０１２３】
＜規制部１４１の役割＞
取込装置４５´のように規制部１４１がなく、通過部１３０ａの全幅に渡ってリブ１３１が所定間隔で配列された構成では、カール札が副搬送装置９から斜めに傾斜して進入してきた場合に、図３１（ａ）に示すように、カールした紙幣Ｐの幅方向の端部がリブ１３１とリブ１３１の間に入り込み、カールした形状のまま通過部１３０ａを通って搬送部１３０ｂに到達する。
【０１２４】
このような紙幣Ｐが繰り出しローラ１３５ｂの手前で停滞して紙幣検出センサＳ１４が該紙幣Ｐを所定時間以上検出する（紙幣詰まりを検出する）と、ソレノイド１３８が作動して挟持ローラ１３７と搬送ベルト１３４との間にカールして傾斜した紙幣Ｐをそのまま挟持して搬送することになる。
【０１２５】
かかる紙幣Ｐであっても、搬送ベルト１３４や繰り出しローラ１３５ｂによって正常に搬送されて停滞しなければ、挟持ローラ１３７に挟持されないので（挟持されると、カールした形や傾斜した姿勢のまま固定されて搬送される）、紙幣Ｐは通路の遊びの中を下流へ進むうちに傾きが減る。また、紙幣案内路１３３は繰り出しローラ１３５ｂ側へ進むに連れて狭くなるので、紙幣Ｐは下流へ進む過程で姿勢が規制されて次第にカールが解消され、詰まったり、紙幣排出ローラガイド１３５ｃに突き当たって傷ついたりすることなく、介挿通路部１２０へ排出される。
【０１２６】
一方、図３２に示すように、カールした紙幣Ｐが繰り出しローラ１３５ｂの手前で停滞して挟持ローラ１３７が作動すると、紙幣Ｐは、挟持ローラ１３７と搬送ベルト１３４の間に挟まれ、カールした形状・傾いた姿勢のまま固定されて搬送される。そのため、下流へ進行してもカールした形状や傾いた姿勢が修正されず、紙幣Ｐの端部が紙幣排出ローラガイド１３５ｃに当たり、その状態のまま一対の紙幣排出ローラ１３５ａの間へ進入すると（図３３参照）、紙幣Ｐの端部（図３３の太線で示す端部）が傷ついたり、詰まりが生じたりしてしまう。
【０１２７】
これに対し、本発明の取込装置４５のように、リブ１３１を通過部１３０ａの通路幅方向の中央部のみに設け、その両サイドをリブ１３１の頂の高さの平壁を成す規制部１４１にすると、図３１（ｂ）に示すように、カールした紙幣Ｐの幅方向両端が規制部１４１に当接し、カールを軽減するように姿勢が規制される。そして、規制部１４１の存在により紙幣Ｐの幅方向の端部がリブ１３１とリブ１３１の間に入り込むことがないので、下流への進行に伴って姿勢の傾きも次第に直り、繰り出しローラ１３５ｂの手前に到達する頃には、カールもなく、傾斜の是正された状態になる。
【０１２８】
図３４は、規制部１４１のある通過部１３０ａを紙幣Ｐの先端が通過する様子を示し、図３５は、紙幣Ｐが繰り出しローラ１３５ｂの手前に到達した様子を示している。図３５の位置に来るまでに姿勢の傾きは直る。
【０１２９】
そのため、紙幣Ｐが繰り出しローラ１３５ｂの手前で停滞し、挟持ローラ１３７が作動して該挟持ローラ１３７と搬送ベルト１３４との間に紙幣Ｐが挟まれ姿勢が固定されたとしても、既に紙幣Ｐは傾きの是正された状態になので、図３６に示すように、紙幣Ｐは端部が紙幣排出ローラガイド１３５ｃに当たることなく一対の紙幣排出ローラ１３５ａの間へほぼ真っ直ぐに進入し、傷ついたり、詰まったりすることなく開口１２１から介挿通路部１２０へと排出される。
【０１３０】
図３７は、図２６の矢印Ｅ方向から見た取込装置４５を示している。図示のように、規制部１４１により、カール状の紙幣が直線状に規制される。
【０１３１】
図３８は、従来の取込装置４５´を図３７と同様に見た様子を示している。規制部１４１が無いので、紙幣Ｐの端部がリブとリブの間に入り込み、紙幣Ｐの形はカール状のままで規制されない。
【０１３２】
なお、図３９に示すように、本発明に係る取込装置４５(図３９（ａ）)の通過部１３０ａの出口における紙幣厚み方向の幅Ｅ１は、従来の取込装置４５´(同図（ｂ）)の通過部１３０ａ´の出口の紙幣厚み方向の幅Ｅ２に比べて、かなり狭くされており、これにより取込装置４５の通過部１３０ａを出るときには紙幣Ｐはカールが十分真っ直ぐに是正された姿勢になる。また、従来の取込装置４５´では、リブとリブの間の奥（斜線を施した範囲）にまで紙幣Ｐの端部が入り込むため、紙幣Ｐのカールが維持されてしまう(図３１（ａ）参照)。
【０１３３】
＜案内壁１４３の役割＞
図４０は、案内壁１４３を有する取込装置４５の通過部１３０ａから搬送部１３０ｂへの移行部分を示し、図４１は案内壁１４３を設けていない取込装置４５´の同部分を示している。図４１に示すように、搬送部１３０ｂの紙幣案内路１３３の内壁（紙幣Ｐの紙面と対向する内壁）は、リブ１３１の根本と頂の間の高さに位置している。これにより、リブ１３１の頂に沿って進入してきた紙幣Ｐは、少しの順段差を経て搬送部１３０ｂへと移行することができる。
【０１３４】
しかし、切れ札やＺ札の端部がリブ１３１とリブ１３１の間に奥深く入り込んだ状態で通過部１３０ａから搬送部１３０ｂへ進もうとすると、リブ１３１とリブ１３１の間に奥深く入り込んだ部分が搬送部１３０ｂに突き当たるため、搬送部１３０ｂへ円滑に移行することができず、詰まりが生じたり紙幣Ｐが傷ついたりしてしまう。
【０１３５】
案内壁１４３はこの問題を解決する役割を果たす。すなわち、案内壁１４３は、通過部１３０ａと搬送部１３０ｂとの間に、通過部１３０ａに形成されたリブ１３１の根本(もしくは根本より外側)から頂側へ（通路の内側へ）斜めに傾斜して下流の搬送部１３０ｂへ至るように設けてあるので、図４０に示すように、切れ札やＺ札の端部がリブ１３１とリブ１３１の間に奥深く入り込んだ状態で通過部１３０ａから搬送部１３０ｂへ進行する場合でも、リブ１３１とリブ１３１の間に奥深く入り込んだ部分は、案内壁１４３の端部に突き当たることなく、案内壁１４３に乗り上げ、該案内壁１４３に案内され、円滑に搬送部１３０ｂへ移行することができ、詰まりが生じたり紙幣Ｐが傷ついたりすることが防止される。
【０１３６】
副搬送装置９、取込装置４５による中継ボックス６から主搬送管４０内への紙幣Ｐの搬送は次のように動作して行われる。
【０１３７】
搬送前の待機状態では、往路空気流発生装置９５、復路空気流発生装置９７は停止している。搬送補助体１６は副搬送装置９の通路部１０１下端の待機位置に保持されている（図２４、図２５参照）。
【０１３８】
なお、副搬送装置９は複数枚（最大３枚）の紙幣Ｐを重なって一度に搬送することができ、取込装置４５は、その複数枚の紙幣Ｐを一度に紙幣案内路１３３の中に待機させることができる。そして、制御部から紙幣Ｐを主搬送管４０（取込装置４５の介挿通路部１２０）内へ送り出す指令を受けたら、紙幣案内路１３３に待機している紙幣Ｐを、搬送ベルト１３４、挟持ローラ１３７、紙幣排出ローラ１３５ａ、繰り出しローラ１３５ｂ等を駆動して、介挿通路部１２０内へ送り出す。
【０１３９】
＜正常動作時＞
図４２に示すように、副搬送装置９の紙幣送り出し装置９３は、紙幣Ｐを副搬送管９１内へ送り出す際には、搬送ローラ１０３を駆動し、中継ボックス６から到来する紙幣Ｐを通路部１０１の紙幣取り込み開口１０２に向けて送り出す（ステップＳ１０１）。この際、紙幣Ｐが紙幣取り込み開口１０２を通過中は紙幣繰り出しセンサＳ１１が（暗）になり、紙幣Ｐが完全に通路部１０１内へ送り出されると、紙幣繰り出しセンサＳ１１が（明）に戻る。なお、紙幣送り出し装置９３は最大３枚の紙幣Ｐを一度に副搬送管９１内へ送り出すことができる。
【０１４０】
副搬送装置９は、待機位置に搬送補助体１６が待機していることを待機位置センサＳ１２が（暗）になっていることで確認できたら（ステップＳ１０２；Ｙｅｓ）、往路空気流発生装置９５を作動させて上向きの空気流を発生させる（ステップＳ１０３）。
【０１４１】
この空気流の作用で搬送補助体１６は紙幣Ｐを後端から押しながら副搬送管９１内を上昇し、第２湾曲管５２を経て副搬送管９１の他端の紙幣通過口１０６に当接し、搬送完了位置に停止する。搬送補助体１６によって搬送されてきた紙幣Ｐは紙幣通過口１０６を通過して取込装置４５内へ進出する。搬送完了位置に搬送補助体１６が到達したことを搬送完了位置センサＳ１３（暗）で確認し、かつ紙幣Ｐが取込装置４５の紙幣案内路１３３に進入したことを紙幣検出センサＳ１４の（暗）で確認する（ステップＳ１０４）。なお、搬送補助体１６が搬送完了位置に到達した後も、往路空気流発生装置９５は、取込装置４５が紙幣Ｐを主搬送管４０内へ排出し終えるまで空気流の発生を継続する。
【０１４２】
取込装置４５は、搬送完了位置センサＳ１３が（暗）かつ紙幣検出センサＳ１４が（暗）となったことを確認したら（ステップＳ１０４；Ｙｅｓ）、搬送部１３０ｂのモータを駆動し、搬送ベルト１３４、紙幣排出ローラ１３５ａ、繰り出しローラ１３５ｂを作動させる（ステップＳ１０５）。これにより紙幣Ｐは取込装置４５から主搬送管４０（詳細には取込装置４５の介挿通路部１２０）内へ送り出される。この際、搬送完了位置センサＳ１３は（暗）のままであり、取込装置４５は、紙幣検出センサＳ１４が（明）になることで紙幣Ｐが搬送部１３０ｂを通過したことを認識し、さらに紙幣排出検知センサＳ１５が（暗）になることで、紙幣Ｐが開口１２１から介挿通路部１２０へ排出中であることを認識する。
【０１４３】
その後、紙幣排出検知センサＳ１５が（明）になったら（ステップＳ１０６；Ｙｅｓ）、主搬送管４０（取込装置４５の介挿通路部１２０）内への紙幣Ｐの排出が完了したと判断し、副搬送装置９の往路空気流発生装置９５を停止させ、停止後、所定時間（たとえば５秒）が経過したら、復路空気流発生装置９７を作動させる（ステップＳ１０７）。
【０１４４】
搬送完了位置に保持されていた搬送補助体１６は復路空気流発生装置９７が発生させた空気流の作用で副搬送管９１内を他端の待機位置に向けて移動する。これにより、搬送完了位置センサＳ１３は（明）になる。その後、待機位置に搬送補助体１６が到着したことを待機位置センサＳ１２の（暗）で確認したら（ステップＳ１０８；Ｙｅｓ）、復路空気流発生装置９７を停止させ（ステップＳ１０９）、正常時の一連の搬送動作を終了する（エンド）。
【０１４５】
次に、中継ボックス６から主搬送管４０内へ紙幣Ｐを搬送する動作における異常の発生条件および復旧動作等について説明する。
【０１４６】
＜Err01  搬送補助体の待機異常＞
発生条件：待機状態において、搬送補助体１６が副搬送管９１の下端の待機位置に無い場合に発生。
【０１４７】
復旧条件：搬送補助体１６を副搬送管９１の下端の待機位置にセットする。これにより待機位置センサＳ１２が（暗）に変わり、自動復旧する。
【０１４８】
＜Err02  復路での搬送補助体の詰まり異常＞
発生条件：副搬送装置９による搬送動作において搬送補助体１６が待機位置に戻らない場合に発生。
【０１４９】
復旧条件：副搬送管９１内から搬送補助体１６の詰まりを取り除き、搬送補助体１６が待機位置に戻る（待機位置センサＳ１２（暗））ことで自動復旧する。
【０１５０】
復路での搬送補助体の詰まり異常（Err02）が発生するまでの動作は次の通りである。
（１）図４２のステップＳ１０７において復路空気流発生装置９７を起動する。なお、予め設定した復路ブロア動作時間の経過後に復路空気流発生装置９７を停止させる。復路ブロア動作時間は、副搬送管９１の経路長に応じて設定する。
（２）復路ブロア動作時間が経過しても待機位置センサＳ１２が（明）のままの場合、予め定めた空気流方向切り替え待ち時間（たとえば、３秒）の経過を待つ。
（３）空気流方向切り替え待ち時間の経過後、往路空気流発生装置９５を起動する。なお、予め設定した往路ブロア動作時間の経過後に往路空気流発生装置９５を停止させる。往路ブロア動作時間は、副搬送管９１の経路長に応じて設定する。
（４）空気流方向切り替え待ち時間の経過を待つ。
（５）上記（１）〜（４）の動作を所定回数（たとえば３回）繰り返しても、搬送補助体１６が待機位置に戻らない場合に異常発生となる。
【０１５１】
＜ERR03  往路での搬送補助体の詰まり異常＞
発生条件：副搬送装置９による搬送動作において、搬送完了位置センサＳ１３が（暗）に変化しない場合（搬送補助体１６が搬送完了位置に到達しない場合）に発生。
【０１５２】
復旧条件：副搬送管９１下端の紙幣送り出し装置９３付近での紙幣のジャム要因を除去した後、中継ボックス６内のエラー解除スイッチを操作することで復旧する。ただし、エラー解除スイッチの操作時に搬送完了位置センサＳ１３、紙幣検出センサＳ１４が共に(明)であることが条件となる。
【０１５３】
・エラー発生時点では主搬送装置８による搬送は行われない。
・除去した紙幣を、副搬送管９１内の搬送補助体１６の上にセットする。
・復旧操作（エラー解除スイッチの操作）により副搬送装置９が作動し取込装置４５への搬送を行う。
・取込装置４５から紙幣Ｐが主搬送管４０内へ送り出された時点で主搬送装置８による搬送が行われる。
・復旧操作前に副搬送管９１内に搬送補助体１６がある場合、待機位置へ戻す操作（中継ボックス６の制御部において送風ブロアまたは復路ブロアを手動で操作する）が必要である。
・除去した紙幣を副搬送管９１内の搬送補助体１６の上にセットせずに復旧操作を行った場合、副搬送装置９による搬送動作においてErr04が発生する。
【０１５４】
往路での搬送補助体の詰まり異常（Err03）が発生するまでの動作は次の通りである。
（１）図４２のステップＳ１０３において往路空気流発生装置９５を起動する。なお、予め設定した往路ブロア動作時間の経過後に往路空気流発生装置９５を停止させる。往路ブロア動作時間は、副搬送管９１の経路長に応じて設定する。
（２）往路ブロア動作時間が経過しても搬送完了位置センサＳ１３及び紙幣検出センサＳ１４が（明）のままの場合、予め定めた空気流方向切り替え待ち時間（たとえば、３秒）の経過を待つ。
（３）空気流方向切り替え待ち時間の経過後に、復路空気流発生装置９７を起動する。なお、予め設定した復路ブロア動作時間の経過後に復路空気流発生装置９７を停止させる。復路ブロア動作時間は、副搬送管９１の経路長に応じて設定する。
（４）空気流方向切り替え待ち時間の経過を待つ。
（５）上記（１）〜（４）の動作を所定回数（たとえば３回）繰り返しても、搬送補助体１６が待機位置に戻らない場合に異常発生となる。
【０１５５】
＜ERR04  繰り出しセンサジャム：搬送完了位置センサＳ１３付近での紙幣詰まりエラー＞
発生条件：副搬送装置９による搬送動作において搬送補助体１６が副搬送管９１の上部で停滞した場合に発生。（図４２のステップＳ１０４で搬送完了位置センサＳ１３（暗）となるが紙幣検出センサＳ１４（明：一度も暗に変化しない）のまま、若しくはＳ１０４で紙幣検出センサＳ１４（暗）、Ｓ１０５で紙幣排出検知センサＳ１５（暗）を検知した後、紙幣検出センサＳ１４（明）に変化しない状態）。
【０１５６】
復旧条件：副搬送管９１内の搬送完了位置センサＳ１３付近のジャム要因除去後、中継ボックス６内のエラー解除スイッチを操作することで復旧する。ただし、エラー解除スイッチの操作時に搬送完了位置センサＳ１３、紙幣検出センサＳ１４が共に(明)であることが条件となる。
【０１５７】
・除去した紙幣を主搬送管４０内へセットする。
・復旧時にErr02、Err03、Err04のエラーチェック処理を行って残留紙幣等の確認を行う。
・復旧時は主搬送装置８による搬送を行う。
【０１５８】
Err04が発生するまでの動作には以下のＡ，Ｂの２種類がある。
【０１５９】
Ａ、図４２のステップＳ１０４で搬送完了位置センサＳ１３（暗）となるが紙幣検出センサＳ１４（暗）を検知せずの場合
（１）図４２のステップＳ１０３で往路空気流発生装置９５を起動する。なお、予め設定した往路ブロア動作時間の経過後に往路空気流発生装置９５を停止させる。往路ブロア動作時間は、副搬送管９１の経路長に応じて設定する。
（２）搬送完了位置センサＳ１３が（暗）検知後、紙幣検出センサＳ１４が（暗）検知しない。
（３）ソレノイド１３８（挟持ローラを１３７）を起動（なお、初回起動しない、２回目以降の往路空気流発生装置９５起動中に起動）
（４）往路空気流発生装置９５を停止させ、空気流方向切り替え待ち時間の経過を待つ。
（５）空気流方向切り替え待ち時間の経過後に、復路空気流発生装置９７を起動する。なお、予め設定した復路ブロア動作時間の経過後に復路空気流発生装置９７を停止させる。復路ブロア動作時間は、副搬送管９１の経路長に応じて設定する。
（６）空気流方向切り替え待ち時間の経過を待つ。
（７）上記（１）〜（６）の動作を所定回数（たとえば３回）繰り返しても、搬送補助体１６が待機位置に戻らない場合に異常発生となる。
【０１６０】
Ｂ、図４２のステップＳ１０４で紙幣検出センサＳ１４（暗）、Ｓ１０５で紙幣排出検知センサＳ１５（暗）を検知した後、紙幣検出センサＳ１４（明）に変化しない場合
（１）図４２のステップＳ１０３で往路空気流発生装置９５を起動する。なお、予め設定した往路ブロア動作時間の経過後に往路空気流発生装置９５を停止させる。往路ブロア動作時間は、副搬送管９１の経路長に応じて設定する。
（２）搬送完了位置センサＳ１３（暗）、紙幣検出センサＳ１４（暗）検知。
（３）搬送完了位置センサＳ１３（暗）、紙幣排出検知センサＳ１５（暗）の状態にて、紙幣検出センサＳ１４が（明）にならず。
（４）ソレノイド１３８（挟持ローラを１３７）を起動（なお、初回起動しない、２回目以降の往路空気流発生装置９５起動中に起動）
（５）往路空気流発生装置９５を停止させ、空気流方向切り替え待ち時間の経過を待つ。
（６）空気流方向切り替え待ち時間の経過後に、復路空気流発生装置９７を起動する。なお、予め設定した復路ブロア動作時間の経過後に復路空気流発生装置９７を停止させる。復路ブロア動作時間は、副搬送管９１の経路長に応じて設定する。
（７）空気流方向切り替え待ち時間の経過を待つ。
（８）上記（１）〜（７）の動作を所定回数（たとえば３回）繰り返しても、搬送補助体１６が待機位置に戻らない場合に異常発生となる。
【０１６１】
＜ERR05  介挿通路部１２０の開口１２１付近での紙幣詰まりエラー＞
発生条件：取込装置４５の開口１２１付近の紙幣案内路１３３内で紙幣Ｐが停滞した場合に発生。（搬送時に紙幣検出センサＳ１４（暗）検知後、紙幣排出検知センサＳ１５（暗）検出せず）
【０１６２】
復旧条件：取込装置４５の開口１２１付近の紙幣案内路１３３内でのジャム要因除去後、中継ボックス６内のエラー解除スイッチを操作することで復旧する。ただし、エラー解除スイッチの操作時に搬送完了位置センサＳ１３、紙幣検出センサＳ１４が共に(明)であることが条件となる。
【０１６３】
・除去した紙幣を主搬送管４０（取込装置４５の介挿通路部１２０）内へセットする。
・復旧時にErr02、Err03、Err04のエラーチェック処理を行って残留紙幣等の確認を行う。
・復旧時は主搬送装置８による搬送を行う。
【０１６４】
Err05が発生するまでの動作は以下の通りである。
（１）副搬送装置９による搬送動作時に、図４２のＳ１０４で紙幣検出センサＳ１４（暗）検知後、Ｓ１０５で紙幣排出検知センサＳ１５（暗）検知せず
（２）所定時間（たとえば５秒）待った後、ソレノイド１３８をオン（１５秒間駆動）
（３）上記（１）（２）の動作を所定回数（たとえば３回）繰り返しても、紙幣排出検知センサＳ１５（暗）にならない場合に異常発生となる。
【０１６５】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１６６】
遊技機島３は、実施の形態で例示したパチンコ機と遊技球貸機を収容する構成に限定されず、メダル貸機とスロットマシン等を収容する遊技機島でもかまわない。
【０１６７】
実施の形態では紙葉類として紙幣を例に説明したが、チケット、カードなど他の種類の紙葉類であってもかまわない。また、紙葉類の形状は長方形に限定されない。また紙葉類回収搬送システム１の設置場所は遊技場に限定されず、他の施設でもかまわない。
【符号の説明】
【０１６８】
１…紙葉類回収搬送システム
２…遊技場
３…遊技機島
４…遊技球貸機
５…遊技機
６…中継ボックス
７…島内紙幣搬送装置
８…主搬送装置
９…副搬送装置
１１…紙幣分離・搬送補助体循環装置
１１ａ…搬送補助体挿入装置
１１ｂ…分離回収装置
１２…搬送管
１２ａ…往路
１２ｂ…復路
１４…空気流発生装置
１４ａ…空気吹出通路
１４ｂ…空気吸込通路
１６…搬送補助体
１６ａ…頭部
１６ｂ…小首部
１６ｃ…大径部
１６ｄ…括れ部
１８…紙幣取込装置
２３…制御部
３１…上下の壁部
３２…側壁部
３３…拡張部（ガイド）
３４…分離壁（リブ）
３５…リブ
４０…主搬送管
４１…金庫
４４…中継装置
４５…取込装置
５０…直線管
５１…第１湾曲管
５２…第２湾曲部
５２ａ…タイプ１の第２湾曲管
５２ｂ…タイプ２の第２湾曲管
５４…ねじり管
９１…副搬送管
９３…紙幣送り出し装置
９５…往路空気流発生装置
９７…復路空気流発生装置
１０１…通路部
１０２…紙幣取り込み開口
１０３…搬送ローラ
１０４…シャッタ
１０５…下部通気口
１０６…紙幣通過口
１２０…介挿通路部
１２１…通路部
１２１…開口
１３０…進入通路部
１３０ａ…通過部
１３０ｂ…搬送部
１３１…リブ
１３３…紙幣案内路
１３４…搬送ベルト
１３５ａ…紙幣排出ローラ
１３５ｂ…繰り出しローラ
１３５ｃ…紙幣排出ローラガイド
１３６…シャッタ
１３７…挟持ローラ
１３８…ソレノイド
１３９…可動アーム
１４１…規制部
１４３…案内壁
Ｓ１１…紙幣繰り出しセンサ
Ｓ１２…待機位置センサ
Ｓ１３…搬送完了位置センサ
Ｓ１４…紙幣検出センサ
Ｓ１４…紙幣検出センサ
Ｓ１５…紙幣排出検知センサ
Ｐ…紙幣
Ｄｘ…搬送管の基準平面部間距離
Ｄｙ…搬送管のＹ方向の内寸
Ｆ…搬送管の延設方向
Ｗ…通路幅
Ｘ…搬送管の通路幅方向
Ｙ…搬送管の高さ方向
【図１】
2020117372.tif 000003
【図２】
2020117372.tif 000004
【図３】
2020117372.tif 000005
【図４】
2020117372.tif 000006
【図５】
2020117372.tif 000007
【図６】
2020117372.tif 000008
【図７】
2020117372.tif 000009
【図８】
2020117372.tif 000010
【図９】
2020117372.tif 000011
【図１０】
2020117372.tif 000012
【図１１】
2020117372.tif 000013
【図１２】
2020117372.tif 000014
【図１３】
2020117372.tif 000015
【図１４】
2020117372.tif 000016
【図１５】
2020117372.tif 000017
【図１６】
2020117372.tif 000018
【図１７】
2020117372.tif 000019
【図１８】
2020117372.tif 000020
【図１９】
2020117372.tif 000021
【図２０】
2020117372.tif 000022
【図２１】
2020117372.tif 000023
【図２２】
2020117372.tif 000024
【図２３】
2020117372.tif 000025
【図２４】
2020117372.tif 000026
【図２５】
2020117372.tif 000027
【図２６】
2020117372.tif 000028
【図２７】
2020117372.tif 000029
【図２８】
2020117372.tif 000030
【図２９】
2020117372.tif 000031
【図３０】
2020117372.tif 000032
【図３１】
2020117372.tif 000033
【図３２】
2020117372.tif 000034
【図３３】
2020117372.tif 000035
【図３４】
2020117372.tif 000036
【図３５】
2020117372.tif 000037
【図３６】
2020117372.tif 000038
【図３７】
2020117372.tif 000039
【図３８】
2020117372.tif 000040
【図３９】
2020117372.tif 000041
【図４０】
2020117372.tif 000042
【図４１】
2020117372.tif 000043
【図４２】
2020117372.tif 000044